(57)【特許請求の範囲】
【請求項１】
円筒（１）の外部両端にネジ（８ａ、８ｂ）を形成して、その内部に透孔（７）を有する管末壁（２）を設置し、それで前記円筒（１）内を給水管部（１３）と空気室（１４）とし、この空気室（１４）内の前記円筒（１）内壁に、ハンドル（１５）でネジ軸（５）を回転移動させるネジ（９ａ）を形成して、なお前記空気室（１４）の外部に給水筒（４）を固着する、それから前記ネジ軸（５）に形成された穴に隙間なく接する圧接板（１１）の柄、としたことからこの圧接板（１１）の柄を前記ネジ軸（５）の穴に隙間なくして打ち込み、またゴム板（１６）とドーナツ板（１７）をキャップ（３）に内蔵して、そして前記ネジ軸（５）にこのキャップ（３）を挿入した後に前記ハンドル（１５）を接続する、そしてまた前記圧接板（１１）とその柄に形成された穴と、鍔のある細長い前記導水軸（１２）の根元との間に、前記ネジ軸（５）の順の前記ネジ（９ａ）に対する、前記給水管部（１３）内の氷柱に凍ついた前記導水軸（１２）を、回転力で引き抜くための一対の逆のネジ（９ｂ）を形成して、なおゴムパッキン（１０）を挿し込んだ側の根元の逆の前記ネジ（９ｂ）の反対側を滑らかな円錐形とした、この条件を採用した当該導水軸（１２）を、前記ネジ軸（５）に抜けることなく打ち込まれた前記圧接板（１１）の柄の逆の前記ネジ（９ｂ）の中に入れて捩込んで、それで組合わされた該導水軸（１２）から前記透孔（７）に貫通させてのち、前記ネジ軸（５）に挿入されたキャップ（３）を前記ネジ（８ａ）に取り付けた冬季用給水栓。
【請求項２】
ハンドル（１５）に発生した回転力がネジ軸（５）に伝わり、このネジ軸（５）に圧接板（１１）の柄を隙間なくして打ち込んだことを介して、前記圧接板（１１）の柄の穴のネジ（９ｂ）に伝わるが、前記ネジ軸（５）の順のネジ（９ａ）を左回転すると、管末壁（２）から前記圧接板（１１）は離れてゆく、がしかし導水軸（１２）の根元と前記圧接板（１１）の柄の穴との間に形成された一対の順の前記ネジ（９ａ）では、凍ついた前記導水軸（１２）が置き去りにされないように、そこで前記導水軸（１２）の根元と前記圧接板（１１）の柄の穴との間に、一対の逆の前記ネジ（９ｂ）を形成すると、前記ネジ軸（５）の左回転と同時に前記圧接板（１１）の柄の穴の逆の前記ネジ（９ｂ）が、給水管部（１３）内の氷柱に凍ついた前記導水軸（１２）の、空気室（１４）内にある部分の根元の逆の前記ネジ（９ｂ）に向かって食い込む作用を発生する、それでこの一対の逆の前記ネジ（９ｂ）自体が持つジャッキの作用と滑らかな円錐形という形体とによって、ごく小さな力で回転するので前記導水軸（１２）が瞬間容易に氷柱から剥離される、そして前記導水軸（１２）は円錐形なるが故に、回転によって円錐形の軸との斜めの曲面と氷柱との間に隙間が生じて水がにじみ出る、さらに前記ネジ軸（５）の回転によって引き抜かれることで隙間が大になり、それで水の流動により氷柱は溶けて、すぐに水圧によって多量の通水をみることができる、このように前記導水軸（１２）に確実に前記ハンドル（１５）の回転力が伝達されることで、該給水栓の一連の力の伝達作用とした請求項１記載の冬季用給水栓。
【発明の詳細な説明】
【０００１】
【発明の属する技術分野】
本発明は、ネジ軸により閉栓に使用されるコマパッキンにおいてそれに導水軸を設けた冬季用の給水栓に関する。
【０００２】
【従来の技術】
従来の冬季に使用する給水栓においては、蛇口内部を工作してその中に水が溜まらないようにしている（例えば、実開昭５８−１２９９６５号公報参照）引例１。
【０００３】
また、蛇口の給水管部分と排水口部分との境界の給水管部内にサーモエレメントを設置して、その働きで自動的に給水管部から小量の水を排出しようとしている（例えば、特告昭６２−４５９３２号公報参照）引例２。
【０００４】
【発明が解決しようとする課題】
上記の冬季に使用する給水栓にあっては、引例１について「水の滞留する部分が水道管中に入没するようにしてこれを壁でもって保温し」とこの文献に記載されている、なおまた胴７の部分を保温すると記されているが、しかし蛇口の大部分が裸出することになるので、それから冷やされた蛇口の金属による急激な熱の伝導現象により、流入口部８の外周に伝わりそれで壁の中にある流入口部内の出口の水が直ぐに凍ついてしまって蛇口から水が出なくなってしまう。
【０００５】
また、引例２について「一般の蛇口等に使用でき」なお「秒単位の時間間隔で落下する少量のものであるが、水道管内の水道水に動きを与え、凍結を防止する」とこの文献に記載されている、なるほど最初は水は滴下するであろうが、しかし従来使用されている構造や材質の同じ蛇口について実際に秒単位の間隔で滴下してみると、凍結を解消する程の流量ではないので、いずれ間もなく蛇口内全体が凍結する、それでこの対策として巳む無く箸の太さ程度以上に連続して放水すれば凍らないので、このことは以前から既に日常生活に広く社会に普及していることが実態である。
【０００６】
なお、上記と同様に過去における冬季用給水栓は見当たらないという問題点があった。
【０００７】
本発明は、屋内の気温が−６℃までの生活家屋内における給水栓の使用で、その中にある水が凍結したとしても、何らためらうことなく飲用水を得ることができることを目的としており、さらに経済的で小型にして構造が簡単かつ堅牢である装置を得ることができる冬季用給水栓を提供することを目的としている。
【０００８】
【課題を解決するための手段】
上記目的を達成するために、本発明の冬季用給水栓については、内径１６ｍｍ内厚３ｍｍの非金属（硬質塩化ビニル類以下同じ）の給水用直管を、保温してある壁から１７０ｍｍ裸出させてその先端に非金属の給水用キャップを接続し、その中に水を充填して気温の変化による直管内の氷の発生状況を試みたのである。
【０００９】
先ず、裸出している該直管内の水は氷点下の冷気に触れている部分の水からその直管壁に氷着しながら、更に直管の中心に向って氷結を重ねてゆく、がしかしそれは保温壁に距離が近くなる程氷着の厚みは薄く形成される、そして直管の着氷と給水用キャップの着氷とが重複して結氷するので、それが氷柱を形成しながら奥へ奥へと伸びてゆく、そのことゆえに直管の中心線上に凍らない所が必ず発生するのをみることができる。
【００１０】
なお、氷柱の長さは−４℃の１４時間経過後は６０ｍｍ、同じく−５℃では９０ｍｍ、−９℃では１１０ｍｍとなった、しかし上記の直管において裸出部分を９０ｍｍとしたところ同じく１４時間経過後の−５℃〜−６℃では氷柱は１００ｍｍとなり、その氷柱の先端は直角平面を形成してその奥には全く結氷は発生しなかった。
【００１１】
以上のことにより本発明においては、上記実験の直管に相当する円筒の内部に上記給水用キャップに相当する管末壁を設置して、それで前記円筒内を給水管部と空気室とし、前記空気室を形成する部分のキャップにネジ軸を接続して、その先端の穴に導水軸を有するコマパッキンを取り付けたものである。
【００１２】
上記の管末壁にあっては、ネジ軸の軸線と一致した導水軸の先端が常に円筒の中心線上にあるようにするには、ゴムパッキンの圧接される管末壁の面が円筒に対して直角に設置されていることがよい。
【００１３】
また、導水軸の先端を氷柱外に置くためには、上記の実験から給水管部内の水を非金属で被って、更に管末壁と保温壁の距離を短くしてやれば保温壁の影響が現われて、今まで氷柱となった筈の水が凍結を免れることができるので、そこに発生した氷柱の外に導水軸の先端を常に置くことができる、したがって給水栓内に通水させるためのこの対策はきわめて好ましい。
【００１４】
また、寒気で冷えた金属が直接給水管部内の水に触れないように、例えば導水軸を金属とした場合は熱が外部に逃げないように、その根元にあるコマパッキンの圧接板とその柄を非金属とするとよい。
【００１５】
また、導水軸のネジについては、ネジ軸をハンドルで右に回転すると管末壁と圧接板との距離が縮まる順のネジの作用に対して、前記ネジ軸を左に回転すると氷柱に凍ついた導水軸がその場に置き去りにされないように、圧接板の正方形の柄と及びネジ軸の正方形の穴を介して、圧接板の柄の中心にある穴の中のネジが導水軸のネジにくい込むことで瞬間に働いて互いによく締まり、それで給水管部内に発生した氷柱から導水軸が剥離される、この現象を起こさせる一対の逆のネジを導水軸と圧接板の柄との間に形成した、この一連の伝達作用を採用すると効果的である。
【００１６】
上記のように構成された冬季用給水栓において、氷柱に凍ついた導水軸に対して順のネジをもつネジ軸を左に回転すると、順のネジの導水軸ではその場に置き去りにされてしまうので導水軸の根元と圧接板の柄の穴の間に一対の逆のネジを形成して組立ててネジ軸に挿入することにより、ネジ軸の左回転でそのネジ軸の穴の平面とそれに隙間なく接する圧接板の柄の平面を介して圧接板の柄のネジが抵抗する導水軸のネジに食い込む作用を発生し、それで瞬間に導水軸が回転することで氷柱から導水軸が離れてしまうようにネジ軸の回転の力が導水軸に働く。
【００１７】
【発明の実施の形態】
発明の実施の形態を実施例にもとづき図面を参照して説明する。
【００１８】
図１において、非金属の材質の円筒１の外部両端にネジ８ａ、８ｂを形成して、その内部に透孔７を有する同じ非金属の管末壁２を直角に設置し、それで前記円筒１内を給水管部１３と空気室１４とし、前記空気室１４内に順のネジ９ａを形成してその外部に給水筒４を固着する、またネジ軸５の先端中心に正方形の穴を設けて、そこにほぼ同じ大きさの正方形の柄を持つコマパッキン６を挿入し、そして前記ネジ軸５の穴を設けた反対側の先端からドーナツ板１７とゴム板１６とキャップ３を順次挿し込んで、それから前記ネジ軸５に挿入した状態のコマパッキン６の円錐形の先端から前記空気室１４内に入れて透孔７に貫通させ、次に前記のキャップ３を円筒１のネジ８ａで固定をし、そしてハンドル１５でネジ軸５を回転させて前記コマパッキン６の先端が常に円筒１の中心線上にあるようにして、管末壁２にコマパッキン６を圧接させておく。また８ｂは装置本体を給水管に接続するためのネジであり、１６はキャップ３よりの漏水を防ぐための弾力のあるゴム板で、１７はゴム板１６を圧迫するための金属状の堅いドーナツ板であり、１８は保温壁に給水栓が無駄なく有効に接するために設けた壁鍔である。
【００１９】
【実施例】
図２は、前記ネジ軸５に設定されるコマパッキン６の実施例であるが、鍔を有する細長い円錐形の根元にネジ９ａとは逆のネジ９ｂを形成して導水軸１２とし、その導水軸１２に弾力のあるドーナツ状のゴムパッキン１０を導水軸１２のネジ９ｂ側から挿入し、そして非金属の圧接板１１とそれを支える非金属の前記正方形の柄の中心とに、それぞれ穴をあけてそこに前記と同じ逆のネジ９ｂを形成して、次にそのネジ９ｂの中にゴムパッキン１０が挿入された前記導水軸１２を入れて精一杯捩込んで固定をして、それでコマパッキン６を造成している。
【００２０】
【発明の効果】
本発明は、以上説明したように構成されているので、以下に記載されるような効果を奏する。
【００２１】
ネジ軸の先端中心に正方形の穴を設け、そして圧接板の柄をその穴とほぼ同じ大きさの正方形の柄としたものであるコマパッキンを、上記のネジ軸の穴に挿入することにより、ネジ軸への着脱が容易になり且つハンドルによる一連の回転作用を正確に伝達することができる。
【００２２】
また、氷柱から細長い導水軸を遊離させるために例えば導水軸に円錐形という形態を採用することにより、それでネジ軸を回転することによって氷柱と導水軸との間に隙間を発生させることができるので、その隙間から水が浸み出てなお水圧によって流水が起こり、それがため氷柱が融けて給水筒より瞬時に多量の水を外部に放出することができる。
【００２３】
そして、コマパッキンの導水軸と圧接板の柄との一対のネジをネジ軸とは逆のネジとして設定して、それを組合わせてからネジ軸に挿し込んだことにより、ネジ軸の左回転によって圧接板の柄のネジ自体がジャッキのように作用することと、及び導水軸の円錐という形とその滑らかな表面とによって、導水軸には抵抗が甚だしく小さくなるから、それでネジ軸とコマパッキンの互いに接する面は滑ることはなくして、上記の一対の圧接板の柄のネジは導水軸のネジに瞬間に食い込むように働きかけることができるので、抵抗の原因である凍ついた氷柱から簡単に導水軸を剥離することができる。
【００２４】
また、給水管部の周囲の材質を非金属とし、なおコマパッキンの圧接板とその柄も非金属とすることにより、熱の伝導する現象を遅らせることができて、給水管部内の水の凍結するのを効率よく防止できる。
【００２５】
また、円筒の中の結氷状態からみてその内部に、中央に透孔を有する管末壁を直角に設けることにより、円筒の中心線及びネジ軸と導水軸の軸線とを、同一直線となるように設定することができる。
【００２６】
さらに、給水管部内の導水軸の先端を、上記の設定と共に常に結氷の外にあるように設けることにより、随時遅滞なく給水を得ることができる。
【００２７】
また、コマパッキンに導水軸を採用することによって水路を造成することができるので、通常の蛇口からの事前の多量の放水や、水の膨張を利用した放水により凍結を防止するよりは、遙かに経済的な装置を簡単に製造することができる。
【００２８】
そして、また通常の家屋内生活からみて、屋内の気温を−６℃のその継続１４時間としたものを、屋内用の使用限度として装置を製作することにより、なお凍結に対処する構成が簡単になることと相俟って、小型にして堅牢である冬季用給水栓を得ることができる。
【図面の簡単な説明】
【図１】冬季用給水栓の縦断面図である。
【図２】コマパッキンの実施例を示す縦断面図である。
【符号の説明】
１  円筒
２  管末壁
３  キャップ
４  給水筒
５  ネジ軸
６  コマパッキン
７  透孔
９ａ、９ｂ  ネジ
１０  ゴムパッキン
１１  圧接板
１２  導水軸
１３  給水管部
１４  空気室
１５  ハンドル
【図１】
0003697483.tif 000002
【図２】
0003697483.tif 000003